(57)【要約】      （修正有）【課題】電磁弁を有するバルブ装置に、手動でバルブを開閉する回転装置を加える。【解決手段】灌漑システムのバルブ装置は、１つの制御ユニットにより始動される数個のバルブ装置である。バルブ装置は電磁弁開閉器３および手動弁開閉器を含み、前記電磁弁開閉器３は弁から制御ユニットに延伸する電線を有する。前記手動弁開閉器は手で操作する回転装置であり、さらに手動弁開閉器は電磁弁の放水口を強制的に閉止することができ、電磁弁を妨げることにより、制御ユニットが自動で放水の開放をコントロールしているときに、強制的に閉止する機能を果たす。【選択図】図２
2014202359.tif 000002
【特許請求の範囲】
【請求項１】
灌漑システムのバルブ装置であって、１つの制御ユニットにより始動される数個のバルブ装置であり、バルブ装置が本体、取水管、マニホールド、放水管、電磁弁開閉器および手動弁開閉器を含み、このうち、本体がバルブ装置の基礎組立ハウジングであり、前記取水管が本体の一端に設けられ、前記マニホールドが取水管から一体に延伸して、１個または１個以上の分水路が連結して形成され、各マニホールドの管内に手動弁開閉器および電磁弁開閉器がそれぞれ取り付けられる、灌漑システムのバルブ装置であり、手動弁開閉器が電磁弁開閉器の相対位置に設けられ、手動弁開閉器が
軸方向に回転させることができる弁装置を制御する機能を果たし、弁装置を回転させることにより、水路の開放および閉止を達成する回転装置を含み、
前記弁装置が筒形のバルブであり、開口部、平面部、閉鎖部、第２止水環および遮断部が一体に設けられ、前記開口部が第１水路の水を第２放水口に送り、なおかつ電磁弁開閉器が開放している状態で放水用に提供され、前記平面部がマニホールドの水を第２水路を経て第２放水口に送り、前記閉鎖部が第１放水口を閉鎖し、電磁弁が開放している状態の水路を強制的に閉鎖する閉鎖用に提供され、これによって、手動弁開閉器により放水を強制的に閉止するか、または水を強制的に開くのを選択する目的を達成することができることを特徴とする、灌漑システムのバルブ装置。
【請求項２】
回転装置がトグル要素、台盤、軸管、定位装置および第１止水環を含む、請求項１に記載の灌漑システムのバルブ装置。
【請求項３】
該トグル要素が回転装置を操作するつまみ機能を提供し、本体の外表面に設けられ、本体内部に延伸し、拡大して台盤を形成する、請求項１に記載の灌漑システムのバルブ装置。
【請求項４】
前記台盤に定位孔が設けられ、トグル要素を回転させて切り替えるとき、前記定位孔が定位装置の前端と係合し、位置制限を行うことができる、請求項１に記載の灌漑システムのバルブ装置。
【請求項５】
前記軸管が回転装置の別の一端に設けられ、その軸心から一体に突出、延伸して、弁装置と接続される、請求項１に記載の灌漑システムのバルブ装置。
【請求項６】
前記第１止水環が軸管の外径の環状溝部分に嵌着され、収容部の水の漏出を防止する、請求項１に記載の灌漑システムのバルブ装置。
【請求項７】
前記定位装置がバネおよび突出柱を含み、前記突出柱に拡大部および縮小部が設けられ、前記バネの一端が縮小部に嵌め込まれて拡大部に達し、バネの別の一端がマニホールドに予め設置された収容部に嵌め込まれ、組立後、拡大部がマニホールドの外表面に突出し、これにより、回転装置が回転した後の分離および定位の目的を果たす、請求項１に記載の灌漑システムのバルブ装置。
【請求項８】
前記弁装置は、その筒形の外径における環状溝部分に第２止水環が嵌着され、第２水路の水が弁装置の入水口に流入し、さらに開口部を経て第２放水口に流入するのを防止する、請求項１に記載の灌漑システムのバルブ装置。
【請求項９】
前記放水管内に２つの位置制限部が設けられ、別の止水装置を放水管の内管に嵌め込むとき、止水装置に予め設置された２つの溝を、位置制限部に沿わせて軌道方向にする組立機能を提供する、請求項１に記載の灌漑システムのバルブ装置。
【請求項１０】
前記止水装置が第１ポートおよび第２ポートと２つの溝を有し、第１ポートが管口状を呈し、第１ポートが第２放水口に向いており、さらに第１ポートに第３止水環を嵌め込み、第２放水口を閉鎖するときの漏水を防止する要素が提供される、請求項９に記載の灌漑システムのバルブ装置。
【請求項１１】
前記第３止水環の内径が、第１ポートの管口の外径にちょうど符合し、なおかつ第１ポートに嵌め合わせると、１つの端面が第１ポートより突出し、前記第３止水環の材質が軟質プラスチックである、請求項１０に記載の灌漑システムのバルブ装置。
【発明の詳細な説明】
【技術分野】
【０００１】
本発明は灌漑システムにおいて、自動制御散水システムにより始動される数個のバルブ開閉装置に関する。より具体的には、本発明はそのバルブの放水の開放または閉止を制御することに関し、本発明は、自動で放水の開放または放水の閉止を行う電磁バルブを配置した上で、手動で放水の開放または放水の閉止を行う弁装置であり、これにより、手動開閉装置は電磁弁の放水路を強制的に閉止することができる。
【背景技術】
【０００２】
本発明人の前の発明出願案件である米国特許出願番号第１２９２６３９７号で、次のように開示している。磁気制御バルブ構造は、接続管４０、バルブ要素５０、磁気制御開閉器６００を含んで構成される。このうち、該接続管４０に取水路４１および放水路４２が設けられ、取水路４１の出口端４１２および放水路４２の入口端４２１が接する部分に、開口部が外に向いた環状台４３が設けられる。
【０００３】
該バルブ要素５０は環状台４３内の底部に装着され、その底部は前記出、入口端４１２、４２１を閉鎖することができる。バルブ要素５０には前記入口端４１２に相対してバルブ５１が設けられ、前記出口端４１２に相対して第１水路５２１が設けられる。
【０００４】
該磁気制御開閉器６００は環状台４３に取り付けられ、これは電磁コイル６６が外部を囲んでいる管状台６０を含み、該電磁コイル６６は磁気要素に接続される。管状台６０の内部は上部、下部の管体空間６２、６３に分割され、上部の管体空間６２に磁気要素８０が取り付けられ、下部の管体空間６３に移動可能なバルブステム９０が取り付けられる。該バルブステム９０の底部にプラグ９１が設けられ、移動を調整することにより、前記バルブ５１を閉鎖または開放することができる。さらに該バルブ要素５０は、磁力に吸着されることができる金属プレート５０１と結合する。該バルブステム９０は永久的な磁力を備えた磁性要素であり、磁気要素により電磁コイル６０が産生する磁場が調整され、バルブステム９０のプラグ９１を動かして、バルブ要素５０のバルブ５１を閉鎖することができ、金属プレート５０１およびバルブステム９０を互いの磁力作用により閉止させる目的を達成することができる。
【０００５】
以上の磁気制御バルブは制御ユニットと組み合わせて連結しなければならず、自動で閉止および開放する機能を達成する。つまり、電磁バルブの電気回路は、制御ユニットに接続されている。この制御ユニットは自動散水制御装置であり、主に操作者は事前に自動散水時間を設定し、予め設定した散水時間になると、制御ユニットは電気回路と接続することにより、自動で電磁弁の通電状態または停電状態を始動させ、さらには電磁弁が放水を開放するか、または放水を閉止する目的を果たす。しかし、ある状態で一時的に自動散水が必要でないかもしれない、例えばちょうど雨が降ったり、曇りの天気が続いたりして、土に常に水をやる必要がなく、放水路を閉止したい場合、制御ユニットの電源を切るか、または制御ユニットの設定を変更しなければならず、そうでなければ稼働中の電磁弁を閉止して、放水を中断させることができない。あるいは、ある状態で散水時間を増やさなければならない、例えば天気が乾燥して熱く、灌漑エリアが比較的多い水分を必要とするかもしれない場合、さらに臨時で水を使用しなければならない可能性がある状態、例えば消防用、緊急用の水などがある。
【０００６】
したがって、発明人はその前案を拡張して発明の改良を行い、数個の電磁弁を有するバルブ装置に、それぞれ手動でバルブを開閉する回転装置を加える。手動で開閉するバルブの回転装置により、電磁弁部分の放水路を閉鎖することができ、それにより、操作者は手動で放水路を強制的に閉止するか、または手動で電磁弁の放水路を開放するかを選択することができる。
【先行技術文献】
【特許文献】
【０００７】
【特許文献１】米国特許出願番号第１２９２６３９７号
【発明の概要】
【発明が解決しようとする課題】
【０００８】
本発明の１つの全体的な目標はバルブシステムを提供することであり、バルブの開閉操作の柔軟性を増加させることを目的とする。
【課題を解決するための手段】
【０００９】
本発明の灌漑システムのバルブ装置について、前記バルブシステムは数か所のエリアを灌漑することができ、バルブシステムは１個以上の弁制御設計を有し、放水エリアの灌漑を制御する。例えば、灌漑エリアは数か所に分布し、各弁は導管によって散水ノズルに接続され、散水ノズルが導管から引き入れた水を受けるのを制御する。このうち、各導管は弁組立品と接続し、各弁組立品は１つの電磁弁および１つの手動弁開閉装置を有し、弁体における弁組立品の水路の開放および水路の閉止を柔軟に操作する。
【００１０】
灌漑システムのバルブ装置は、導管に誘導される灌漑液体の開放または閉止を行うように設計される。例えば水である「灌漑液体」はいかなる液体も指し、植物の生長を促進することができる。これによって、数か所に分布する送水導管から、各地の散水装置に指定して分配される。散水装置は、各種の水を散布する設備を指し、例えばポップアップ型散水ノズル、回転ノズル、噴水口またはドリップ灌漑システムなどである。灌漑エリアはそれぞれ送水導管が延伸し、水源が分配される（図示せず）。弁組立品がそれぞれ送水導管の水の流量を制御し、弁組立品は任意で開放の操作を行うことができ、指定時間内に水を特定の送水導管に送る。これにより、指定の導管が指定の散水装置に水を供給する。
【００１１】
灌漑システムのバルブ装置は、１つの制御ユニットにより始動される数個のバルブ装置である。バルブ装置は、本体、取水管、マニホールド、放水管、電磁弁開閉器および手動弁開閉器を含む。このうち、本体はバルブ装置の基礎組立ハウジングであり、前記取水管は本体の一端に設けられ、前記マニホールドは取水管から一体に延伸して、数個の分水路が連結して形成される。各マニホールド管内に手動弁開閉器および電磁弁開閉器がそれぞれ取り付けられ、手動弁開閉器は電磁弁開閉器の相対位置に設けられる。前記マニホールドの一端は一体に延伸して放水管と接続される。
【００１２】
前記電磁弁開閉器は、弁から制御ユニットまで延伸する電線を有し、電磁弁開閉器は接続管、バルブ要素およびバルブステム、磁気要素を含んで構成される。このうち、該接続管の一端は閉鎖端であり、別の一端は出口端である。出口端が第１水路とつながる部分に、バルブ要素が設けられる。
【００１３】
該バルブ要素は接続管内部に装着され、その一端は錘状のプラグヘッドであり、別の一端は磁極部である。プラグヘッドは、接続管の出口端の方向で、前記バルブ要素の出口端を閉鎖するか開くことができ、バルブ要素は前記出口端面に相対して第１水路と接続する。
【００１４】
該バルブステムは接続管に取り付けられ、さらに接続管の外部を電磁コイルが取り囲んでいる。該電磁コイルが磁気要素と接続し、接続管の内部に、前部、後部の管体空間に分割するセパレータを有する。後部の管体空間に磁気要素が取り付けられ、前部の管体空間に移動可能なバルブステムが取り付けられる。該バルブステムの前端は錘状のプラグヘッドであり、移動を調整することにより、前記バルブ要素を閉鎖または開放することができる。
【００１５】
さらに、前記手動弁開閉器は、回転装置、弁装置、定位装置を含み、前記回転装置は、軸方向に回転させることができる弁装置を制御する機能を果たし、弁を回転させることにより、水路の開放および閉止を達成する。前記弁装置は筒形のバルブであり、開口部が設けられて、水路の水を出口に送る。前記定位装置はバネおよび突出柱を含み、前記突出柱に拡大部および縮小部が設けられる。前記バネの一端が縮小部に嵌め込まれて拡大部に達し、バネの別の一端はマニホールドに予め設置された収容部に嵌め込まれる。組立後、拡大部はマニホールドの外表面に突出し、これにより、回転装置が回転した後の分離および定位の目的を果たす。
【００１６】
以上、前記手動弁開閉器は電磁弁の放水口を強制的に閉止することができ、電磁弁を妨げることにより、制御ユニットが自動で放水の開放をコントロールしているときに、強制的に閉止する機能を果たす。
【図面の簡単な説明】
【００１７】
【図１】図１は、本発明のバルブ装置の正面図である。
【図２】図２は、本発明のバルブ装置の断面図である。
【図３】図３は、本発明のバルブ装置の部分的に拡大した断面図である。
【図３−１】図３−１は、本発明のバルブ装置における第３止水環の拡大図である。
【図４】図４は、本発明のバルブ装置の立体透視図である。
【図５】図５は、本発明のバルブ装置における実施状態１の透視図である。
【図６】図６は、本発明のバルブ装置における実施状態１の正面断面図である。
【図７】図７は、本発明のバルブ装置における実施状態１の側断面図である。
【図８】図８は、本発明のバルブ装置における実施状態２の透視図である。
【図９】図９は、本発明のバルブ装置における実施状態２の側断面図である。
【図１０】図１０は、本発明のバルブ装置における実施状態２の正面断面図である。
【図１１】図１１は、本発明のバルブ装置における実施状態３の正面断面図である。
【図１２】図１２は、本発明のバルブ装置における実施状態３の透視図である。
【図１３】図１３は、本発明のバルブ装置における実施状態４の側断面図である。
【発明を実施するための形態】
【００１８】
図１から図１３に示すのは、灌漑システムのバルブ装置であり、本体１、取水管１１、マニホールド４、放水管５、数個の収容部４１、数個の電磁弁開閉器３および数個の手動弁開閉器２を含む。このうち、本体１はバルブ装置の基礎ハウジング体であり、本体１に、取水管１１、マニホールド４、放水管５を胴体から通すために、数個の貫通孔が設けられる。前記取水管１１、マニホールド４、放水管５および収容部４１は、本体１内に一体に接続して設けられる。
【００１９】
本発明の本実施形態において、バルブ装置に１個以上の弁組立品が設けられ、弁組立品は手動弁開閉器２および電磁弁開閉器３を含む。図１に、手動弁開閉器２の正面図を示す。本体１の一端に取水管１１が設けられ、マニホールド４と接続して第１放水口４１１、さらに収容部４１まで延伸する。第２放水口４１２から第３水路４４、さらに第３放水口５１まで誘導され、導水管（図示せず）に放水される。第３放水口５１は本体１に突出、延伸する。本体１の正面に手動弁開閉器２に設けられる回転装置２１が確認でき、該回転装置２１は弁装置２２を操作する制御装置である。回転装置２１の一端の表面に指示標示が設けられ、回転装置２１を設置した本体１の表面に、符号Ａ、Ｂ、Ｃが設けられる。符号Ａは自動（ＡＵＴＯ）を表し、電磁弁開閉器３が自動状態であることを示し、標示記号Ｂは開放（ＯＮ）を表し、手動弁開閉器２が開放することを示し、標示記号Ｃは閉止（ＯＦＦ）を表し、手動弁開閉器２が電磁弁の放水を強制的に閉止することを示す。さらに、前記第３放水口５１に各弁組立品の相対ポートがそれぞれ設けられる。
【００２０】
図２から図１０に示すように、前記取水管１１は本体１の一端に設けられ、前記マニホールド４は取水管１１から一体に延伸して、数個の分水路が連結して形成される。各マニホールド４の管内に、それぞれ手動弁開閉器２および電磁弁開閉器３が取り付けられ、手動弁開閉器２は電磁弁開閉器３の相対位置に設けられる。言い換えると、手動弁開閉器２および電磁弁開閉器３の第３水路４４は、一端が通じている。前記数個のマニホールド４に関して、各マニホールド４はそれぞれ収容部４１に対応し、前記収容部４１内に弁組立品が設けられる。前記弁組立品は、相互に対称に配置される手動弁開閉器２および電磁弁開閉器３を含む。前記電磁弁開閉器３は、接続管３１、バルブステム３２、バルブ要素３３、電磁コイル３４および磁気要素３５を含んで構成される。前記放水管５内に２つの位置制限部５２が設けられ、別の止水装置４４１を放水管５の内管に嵌め込むとき、止水装置４４１に予め設置された２つの溝４４１ｃを、位置制限部５２に沿わせて軌道方向にする組立機能を提供する。前記止水装置４４１が、第１ポート４４１ａおよび第２ポート４４１ｂと２つの溝４４１ｃを有し、第１ポート４４１ａは管口状を呈し、第１ポート４４１ａは第２放水口４１２に向いている。さらに、第１ポート４４１ａに第３止水環４４２を嵌め込み、第２放水口４１２を閉鎖するときの漏水を防水する要素が提供される。図３−１に示すように、前記第３止水環４４２の内径は、第１ポート４４１ａの管口の外径にちょうど符合し、なおかつ第１ポート４４１ａに嵌め合わせると、１つの端面が第１ポート４４１ａより突出する。前記第３止水環４４２の材質は、軟質プラスチックである。
【００２１】
このうち、該接続管３１は収容部４１の一端に取り付けられ、接続管３１の内部に前部、後部の管体空間に分割するセパレータ３１１を有する。後部の管体空間に磁気要素３５が取り付けられ、前部の管体空間に移動可能なバルブステム３２が取り付けられる。該バルブステム３２の前端は錘状のプラグヘッドであり、移動を調整することにより、前記バルブ要素３３を閉鎖するか開放することができる。該バルブ要素３３は、接続管３１の出口端および第１水路４２の境界部分に設けられる。接続管３１の外に電磁コイル３４が取り付けられ、電磁コイル３４を電気回路と接続して回路切替を行い、電磁コイル３４を通電または停電させることより、バルブステム３２の磁極の正極または負極を変換する。前記バルブステム３２の一端の磁極は負の磁極であり、別の一端は正の磁極である。電磁コイル３４の通電が、その正極および負極に変化を生じさせることにより、バルブステム３２および磁気要素３５を分離させるか、またはバルブステム３２および磁気要素３５を互いに吸着させて結合することができる。さらに、前記バルブ要素３３は、接続管３１の出口端および第１水路４２の境界部分に装着される。これは前記バルブステム３２により、前に押されて第１水路４２を閉鎖するか、またはバルブステム３２が磁気要素３５に引き付けられて、第１水路４２を開放する機能を果たすことができる。
【００２２】
該磁気要素３５は接続管３１の内管の底端に取り付けられ、セパレータ３１１により分離、定位され、電磁コイル３４と電線で連結する。接続管３１の内管空間に設けられるバルブステム３２は、セパレータ３１１の別の端面に設けられ、バルブステム３２は接続管３１の管内で軸方向に移動することができる。該バルブステム３２の一端はプラグであり、前記バルブ要素３３を押して、第１水路４２を閉鎖するか、またはバルブ要素３３から離れて、第１水路４２を開放することができる。さらに、電磁弁が第１水路４２を閉止している状態で、電磁コイル３４を通電するとき、電磁コイル３４に該バルブステム３２の一端の磁極と互いに反発する磁極を産生させ、バルブステム３２を磁気要素３５の吸着から離脱させ、さらに瞬間に反対方向に移動させる。バルブステム３２がバルブ要素３３を緊密に押し、さらには第１水路４２を閉鎖する。他に、電磁コイル３４を通電するとき、該バルブステム３２の一端と互いに吸引する磁極が産生され、バルブステム３２を磁気要素３５に吸着させる。バルブステム３２はバルブ要素３３から離脱して、バルブ要素３３が第１水路４２を開き、水は第３水路４４に送られる。
【００２３】
図２および図４に示すように、手動弁開閉器２は回転装置２１および弁装置２２を含み、前記回転装置２１は軸方向に回転することができる弁装置２２を制御する機能を果たす。弁装置２２を回転させることにより、第１水路４２および第２水路４３を開放するか閉止する選択を達成する。回転装置２１はトグル要素２１１、台盤２１３、軸管２１４、定位装置６および第１止水環２３を含む。このうち、該トグル要素２１１は回転装置２１を操作するつまみ機能を提供し、これは本体１の外表面に設けられ、本体１内部に延伸し、拡大して台盤２１３を形成する。前記台盤２１３に定位孔２１２が設けられ、トグル要素２１１を回転させて切り替えるとき、前記定位孔２１２は定位装置６の前端と係合し、位置制限を行うことができる。前記軸管２１４は回転装置２１の別の一端に設けられ、その軸心から一体に突出、延伸して、弁装置２２と接続される。前記第１止水環２３は軸管２１４の外径の環状溝部分に嵌着され、収容部４１の水の漏出を防止する。前記第１止水環２３の材質は、軟質プラスチックである。
【００２４】
前記弁装置２２は筒形のバルブであり、開口部２２２、平面部２２１、閉鎖部２２３、第２止水環２２４および遮断部２２５が一体に設けられる。前記開口部２２２は、第１水路４２の水を第２放水口４１２に送り、なおかつ電磁弁開閉器３が開放している状態で放水用に提供される。前記平面部２２１はマニホールド４の水を、第２水路４３を経て第２放水口４１２に送る。前記閉鎖部２２３は第１放水口４１１を閉鎖し、電磁弁が開放している状態の水路を強制的に閉鎖する閉鎖用に提供される。さらに前記第２止水環２２４を弁装置２２の筒形の外径における環状溝部分に嵌着し、第２水路４３の水が入水口２２６に流入し、さらに開口部２２２を経て第２放水口４１２に流入するのを防止する。前記第２止水環２２４の材質は、軟質プラスチックである。さらに前記遮断部２２５は弁装置２２における第１水路４２側の端部部分に設けられ、電磁弁開閉器３のバルブ要素３３と接触して第１水路４２を閉鎖するか、またはバルブ要素３３が遮断部２２５から離脱して第１水路４２を開放する。
【００２５】
前記定位装置６は、回転装置２１の台盤２１３に相対する内面、すなわち収容部４１の外表面に予め設置された組立溝４５内に設けられ、拡大部６１および縮小部６２を含む。これはバネ７と組み合わさり、組立溝４５内に取り付けられる。バネ７の一端は縮小部６２に嵌め込まれて拡大部６１に達し、バネ７の別の一端は組立溝４５に装着される。さらに縮小部６２をバネ７内径の収容空間に装着すると、拡大部６１の底縁がバネ７の外径壁にちょうど達する。拡大部６１をバネ７の収容空間の外面に突出させ、これにより、回転装置２１が回転すると、拡大部６１の末端が切替のたびに、台盤２１３の定位孔２１２に到達し、嵌め込まれて定位され、回転装置２１は定位の目的を達成する。
【００２６】
図５から図７は、バルブ装置部分が自動制御の状態である。該回転装置２１の指示標示を動かして、符号Ａ（ＡＵＴＯ）まで回転させると、弁装置２２の開口部２２２が第２放水口４１２の方向に回転し、第２水路４３が閉鎖され、第１放水口４１１が開放されて第１水路４２と通じ、水路の水はここから流出する。電磁弁が開放状態のとき、第１水路４２から放水して、弁装置２２の入水口２２６に流入することができ、さらに開口部２２２から第３水路４４に流れる。これにより、電磁弁は自動で水を開く目的を達成することができ、手動弁は閉止状態である。また、電磁弁開閉器３が第１水路４２を閉止した状態のとき、バルブスタブ３２のプラグがバルブ要素３３を閉鎖し、相対するバルブ要素３３の壁が弁装置２２の遮断部２２５に達する。したがって、第１水路４２および第２水路４３の放水は同時に閉鎖され、電磁弁が自動で水を閉じる目的を達成する。
【００２７】
図８から図１０は、回転装置２１の指示標示を符号Ｃ（ＯＦＦ）まで回転させたものである。弁装置２２の閉鎖部２２３が第１放水口４１１および第２放水口４１２に達し、第１水路４２および第２水路４３の水は流出することができない。仮に電磁弁開閉器３が開放状態であっても、第１水路４２および第２水路４３の放水は、弁装置２２の閉鎖部２２３に閉鎖されているため、手動で強制的に水を閉じる目的を達成することができる。
【００２８】
図１１から図１３に示すように、該回転装置２１の指示標示を動かして、符号Ｂ（ＯＮ）まで回転させると、弁装置２２の平面部２２１が第２放水口４１２の方向に回転する。第２放水口４１２が開放されて、第２水路４３と通じ、水路の水がここから流出し、仮に電磁弁の第１水路４２が閉鎖されていても、第２水路４３の放水は、第２放水口４１２から第３水路４４まで流れ、第３放水口５１から流出することができ、手動弁開閉器２が強制的に水を開く目的を達成する。
【００２９】
以上をまとめると、本発明の好ましい実施例に過ぎず、本発明の実施範囲を限定するものではない。本発明で出願する特許範囲に基づいて行う均等変化および修飾は、すべて本発明の特許範囲に包含されるものである。
【図１】
2014202359.tif 000003
【図２】
2014202359.tif 000004
【図３】
2014202359.tif 000005
【図３−１】
2014202359.tif 000006
【図４】
2014202359.tif 000007
【図５】
2014202359.tif 000008
【図６】
2014202359.tif 000009
【図７】
2014202359.tif 000010
【図８】
2014202359.tif 000011
【図９】
2014202359.tif 000012
【図１０】
2014202359.tif 000013
【図１１】
2014202359.tif 000014
【図１２】
2014202359.tif 000015
【図１３】
2014202359.tif 000016